(57)【要約】【課題】  従来の光伝送装置では、装置が動作保証温度外になる温度異常が発生していても外からは認識できず、そのまま動作させて伝送データの誤り率が高くなるという問題点があり、動作保証温度範囲外になった場合に、速やかに外部に報知して迅速な対応を行うことにより伝送データの品質が低下するのを防ぐ光伝送装置を提供する。【解決手段】  基地局側装置１と無線部側装置２が、それぞれ、Ｅ／Ｏ変換部１４（２４）の温度を検出する温度検出部１５（２５）を備え、制御部１６（２６）が、温度検出部１５（２５）からの温度データが予め設定された動作保証温度範囲外であると、温度異常を示す表示を表示部１７（２７）に出力する光伝送装置としている。【選択図】        図１
2005244335.tif 000002
【特許請求の範囲】
【請求項１】
電気信号を光信号に変換する電気−光変換部を備え、前記電気−光変換部で変換された光信号を送信する送信装置と、受信した光信号を電気信号に変換する光−電気変換部を備えた受信装置と、前記送信装置と前記受信装置とを接続する光ケーブルとから成る光伝送装置であって、
前記送信装置が、前記電気−光変換部の温度を検出する温度検出部と、
入力された指示に基づいて表示を行う表示部と、
前記温度検出部で検出された温度が予め設定された温度範囲外であった場合に、温度異常であることを示す表示を行う指示を前記表示部に出力する制御部とを備えたことを特徴とする光伝送装置。
【請求項２】
電気信号を光信号に変換する電気−光変換部を備え、前記電気−光変換部で変換された光信号を送信する送信装置と、受信した光信号を電気信号に変換する光−電気変換部を備えた受信装置と、前記送信装置と前記受信装置とを接続する光ケーブルとから成る光伝送装置であって、
前記送信装置が、前記電気−光変換部の温度を検出する温度検出部と、
入力された指示に基づいて表示を行う表示部と、
電源が投入されると、ウォームアップ中であることを示す表示を行う指示を前記表示部に出力すると共に、前記電源投入時から予め設定された一定時間が経過し、且つ前記温度検出部で検出された温度が予め設定された温度範囲内となった場合に、前記ウォームアップ中の表示を停止する指示を前記表示部に出力する制御部とを備えたことを特徴とする光伝送装置。
【発明の詳細な説明】
【技術分野】
【０００１】
本発明は、光デジタル通信を行う光伝送装置に係り、特に、温度異常により伝送データの品質が低下したり、異常動作を起こして装置が破損するのを防ぐことができる光伝送装置に関する。
【背景技術】
【０００２】
近年、携帯電話等のデジタル移動体通信では、中継局としてデータを光信号に変換して伝送する光伝送装置が用いられている。
従来の光伝送装置について図８を用いて説明する。図８は、光伝送装置の概略説明図である。
図８に示すように、従来の光伝送装置は、携帯電話等のデジタル移動体通信システムにおいて用いられるものであり、交換制御を行う中央局（交換局、図示せず）に接続された基地局側装置１′と、携帯電話機等の移動局と無線通信を行う無線部側装置２′と、基地局側装置１′と無線部側装置２′とを接続する光ケーブル３とから構成されている。
【０００３】
上記構成において、光ケーブル３は、光信号を伝送する光ファイバから構成され、基地局側装置１′から無線部側装置２′に光信号を伝送する下り光ケーブルと、無線部側装置２′から基地局側装置１′へ光信号を伝送する上り光ケーブルとから構成されている。
【０００４】
基地局側装置１′は、中央局から送信された携帯電話の下り信号を電気−光変換して、光ケーブル３（下り光ケーブル）を介して無線部側装置２′に送信するものである。
また、基地局側装置１′は、光ケーブル３（上り光ケーブル）を介して受信した携帯電話の上り信号を、光−電気変換して、中央局に出力するものである。従って、基地局側装置１′及び無線部側装置２′は、一方が光信号の送信装置となれば他方が受信装置となり、又はその逆にもなるものである。
【０００５】
無線部側装置２′は、移動局から無線送信された携帯電話の上り信号をアンテナ２９により受信し、電気−光変換して、光ケーブル３（上り光ケーブル）を介して基地局側装置１′に送信するものである。
また、無線部側装置２′は、光ケーブル３（下り光ケーブル）を介して受信した携帯電話の下り信号を、光−電気変換して、アンテナ２９を介して移動局に無線送信するものである。
【０００６】
このような光伝送装置は、電気−光変換部の動作が温度変化の影響を受けやすく、動作保証温度外の動作では、Ｓ／Ｎ比が劣化してビット誤り率が高くなってしまう。ここで、Ｓ／Ｎ比とビット誤り率との関係を図９を用いて説明する。図９は、Ｓ／Ｎ比とビット誤り率との関係を示す説明図である。
一般に、光デジタル伝送では、10E-10、10E-12程度の低いビット誤り率が要求されている。例えば、図９ではＡＳＫ変調における理論上のビット誤り率を示しているが、ビット誤り率10E-12を達成するには、Ｓ／Ｎ比14dBが必要である。そして、ビット誤り率10E-12を達成している状態において、送信側の電気−光変換部が動作保証温度外となってしまって4dBレベル低下して10dBになったとすると、図９より、このときのビット誤り率は4×10E-6となり、大幅に品質低下してしまう。
【０００７】
特に、アンテナを含む無線部側装置２′は、戸外に設置されることが多いために外部環境の影響を受けやすく、また、デバイス不良等による発熱のために動作保証温度外になってしまうこともあった。
【０００８】
尚、従来の光信号伝送装置に関する技術としては、一方の装置で異常が発生した場合、電気−光変換器の光信号レベルを低下することによって装置異常を通報し、他方の装置では受信する光信号レベルが低下したことを受光レベル監視回路で検知して他方装置の異常を認識するアラーム伝送方法及び光信号伝送システムがある（特許文献１参照）。
【０００９】
【特許文献１】特開２００１−３２６６１３号公報
【発明の開示】
【発明が解決しようとする課題】
【００１０】
しかしながら、従来の光伝送装置では、装置が動作保証温度外になる温度異常が発生していても外からは認識できず、そのまま動作させて伝送データのビット誤り率が高くなってしまうという問題点があった。
【００１１】
また、従来の光伝送装置では、送信側装置が動作保証温度外になった場合に、異常動作として規定出力以上の出力を行ってしまい、受信側装置の光−電気変換部の光デバイスを損傷してしまうおそれがあるという問題点があった。
【００１２】
また、一般的に、光伝送装置では、電源投入時には動作が不安定になることがあり、電源投入直後には異常動作するおそれがあるという問題点があった。
【００１３】
本発明は上記実情に鑑みて為されたもので、動作保証温度外になった場合に、速やかに外部に報知して迅速な対応を行うことにより伝送データの品質が低下するのを防ぎ、また、送信側装置の異常出力による受信側装置の損傷を防ぐことができ、また、電源投入直後の不安定な動作の影響を受けにくくする光伝送装置を提供することを目的とする。
【課題を解決するための手段】
【００１４】
上記従来例の問題点を解決するための本発明は、電気信号を光信号に変換する電気−光変換部を備え、電気−光変換部で変換された光信号を送信する送信装置と、受信した光信号を電気信号に変換する光−電気変換部を備えた受信装置と、当該送信装置と当該受信装置とを接続する光ケーブルとから成る光伝送装置であって、送信装置が、電気−光変換部の温度を検出する温度検出部と、入力された指示に基づいて表示を行う表示部と、温度検出部で検出された温度が予め設定された温度範囲外であった場合に、温度異常であることを示す表示を行う指示を表示部に出力する制御部とを備えた光伝送装置としており、予め設定された動作保証温度外となった場合には温度異常を示す表示を出力することができ、保守員が外から見ただけで送信装置が温度異常の状態であることを容易に認識でき、迅速な対応を可能とすることができる。
【００１５】
尚、上記発明においては、温度異常を検出した場合、制御部が、電気−光変換部の出力を停止する構成としており、温度異常によって劣化した光信号を送信するのを防ぐことができる。
【００１６】
また、本発明は、電気信号を光信号に変換する電気−光変換部を備え、電気−光変換部で変換された光信号を送信する送信装置と、受信した光信号を電気信号に変換する光−電気変換部を備えた受信装置と、当該送信装置と当該受信装置とを接続する光ケーブルとから成る光伝送装置であって、送信装置が、電気−光変換部の温度を検出する温度検出部と、入力された指示に基づいて表示を行う表示部と、電源が投入されると、ウォームアップ中であることを示す表示を行う指示を表示部に出力すると共に、電源投入時から予め設定された一定時間が経過し、且つ温度検出部で検出された温度が予め設定された温度範囲内となった場合に、ウォームアップ中の表示を停止する指示を表示部に出力する制御部とを備えた光伝送装置としており、電源投入直後や動作保証温度外となっている場合に、動作が不安定になりやすいことをウォームアップ中として外部に報知することができる。
【００１７】
尚、上記発明においては、ウォームアップ中は、制御部が、電気−光変換部からの出力を停止する構成としており、不安定な動作によって劣化した光信号を送信するのを防ぐことができる。
【発明の効果】
【００１８】
本発明によれば、光信号を送信する送信装置が、電気−光変換部の温度を検出する温度検出部と、入力された指示に基づいて表示を行う表示部と、温度検出部で検出された温度が予め設定された温度範囲外であった場合に、温度異常であることを示す表示を行う指示を表示部に出力する制御部とを備えた光伝送装置としているので、温度異常時にはその旨を示す表示を行うことができ、保守員が外から見ただけで送信装置が温度異常の状態であることを容易に認識でき、迅速な対応を可能とすることができる効果がある。
【００１９】
尚、上記発明においては、温度異常を検出した場合、制御部が、電気−光変換部の出力を停止する光伝送装置としているので、温度異常によって劣化した光信号を送信するのを防ぐことができる効果がある。
【００２０】
本発明によれば、光信号を送信する送信装置が、電気−光変換部の温度を検出する温度検出部と、入力された指示に基づいて表示を行う表示部と、電源が投入されると、ウォームアップ中であることを示す表示を行う指示を表示部に出力すると共に、電源投入時から予め設定された一定時間が経過し、且つ温度検出部で検出された温度が予め設定された温度範囲内となった場合に、ウォームアップ中の表示を停止する指示を表示部に出力する制御部とを備えた光伝送装置としているので、電源投入直後や動作保証温度外となっている場合に、動作が不安定になりやすいことをウォームアップ中として外部に報知することができる効果がある。
【００２１】
尚、上記発明においては、ウォームアップ中は、制御部が、電気−光変換部からの出力を停止する光伝送装置としているので、不安定な動作によって劣化した光信号を送信するのを防ぐことができる効果がある。
【発明を実施するための最良の形態】
【００２２】
本発明に係る光伝送装置は、基地局側装置と無線部側装置に、電気−光変換部の温度を測定する温度検出部を設け、制御部が、温度検出部から入力される電気−光変換部の温度が、予め設定されている動作保証温度の範囲外であれば、表示部に「温度異常」である旨を表示し、電気−光変換部からの出力を停止するものであり、温度異常が発生した場合に速やかに外部に報知でき、また、品質の劣化した信号の送信を防ぐことができるものである。
【００２３】
また、本発明に係る光伝送装置は、電源投入から一定時間をウォームアップ時間としてウォームアップ中であることを示すライトを点灯し、更に、ウォームアップ時間が終了し、装置の温度が動作保証温度範囲内になるまで光信号の送信を停止するものであり、ウォームアップ中であることを外部に報知でき、また、電源投入直後や異常温度による不安定な動作の影響によって品質の劣化した信号の送信を防ぐことができるものである。
【００２４】
本発明の実施の形態について図面を参照しながら説明する。
図１は、本発明の実施の形態に係る光伝送装置（本装置）の構成ブロック図である。尚、図８と同様の構成をとる部分については同一の符号を付して説明する。
図１に示すように、本実施の形態の光伝送装置の基本的な構成は、図８に示した従来の光伝送装置と同様であり、基地局側装置１と、無線部側装置２と、基地局側装置１と無線部側装置２とを接続する光ケーブル３とから構成されている。また、請求項１及び請求項２における「送信装置」と「受信装置」は、本装置における基地局側装置１と無線部側装置２、又は無線部側装置２と基地局側装置１に相当している。
【００２５】
各構成部分について具体的に説明する。
基地局側装置１は、従来と同様に、中央局に接続され、呼処理部１１と、信号処理部１２と、電気−光変換部（図では「Ｅ／Ｏ変換部」）１３と、光−電気変換部（図では「Ｏ／Ｅ変換部」）１４と、温度検出部１５と、制御部１６と、表示部１７と、光多重分離部１８とから構成されている。
【００２６】
呼処理部１１は、デジタル移動体通信の基地局としての機能を備え、エリア内にいる携帯電話機の位置登録を行って、エリア内の携帯電話機の音声通話やデータ通信を制御するものであり、中央局から、位置登録されている携帯電話機に対する下り信号が入力されると信号処理部１２に出力し、信号処理部１２から、携帯電話機からの上り信号が入力されると中央局に出力するものである。
【００２７】
信号処理部１２は、呼処理部１１からの下り信号を符号化して電気−光変換部１３に出力すると共に、光−電気変換部１４からの上り信号を復号化して呼処理部１１に出力するものである。
【００２８】
電気−光変換部１３は、レーザダイオードで構成され、入力された電気信号を電圧に応じた光信号に変換するものである。光−電気変換部１４は、フォトダイオードで構成され、入力された光信号を光量に応じた電気信号に変換するものである。
【００２９】
光多重分離部１８は、電気−光変換部１３から入力された送信光信号を多重化して光ケーブル３に出力すると共に、光ケーブル３から入力された多重化されている受信光信号を分離して光−電気変換部１４に出力するものである。
【００３０】
温度検出部１５は、電気−光変換部１３と光−電気変換部１４の温度を検出するものであり、具体的には、電気−光変換部１３及び光−電気変換部１４のそれぞれに設けられた温度センサからの電気信号を制御部１６で読み取り可能な温度データに変換して制御部１６に出力するものである。本装置では、温度検出部１５は、電気−光変換部１３と光−電気変換部１４の温度データを、定期的に制御部１６に出力するようにしている。
【００３１】
表示部１７は、液晶ディスプレイ等から構成され、制御部１６の制御に従って表示を行うものである。本装置では、温度異常時に「温度異常」であることや具体的な温度を示す表示するものである。また、液晶ディスプレイの代わりにＬＥＤを設け、温度異常時に点灯又は点滅させて、簡易な構成で温度異常を報知することも可能である。
【００３２】
制御部１６は、本装置の特徴部分であり、温度検出部１５からの温度データに基づいて温度異常時の処理を行うものであり、具体的には、表示部１７における表示制御と、電気−光変換部１３における動作のオン／オフの制御を行うものである。制御部１６は、内部に処理プログラムやデータを記憶しておく記憶部を備えている。制御部１６の処理については後で詳細に説明する。
【００３３】
また、本装置の無線部側装置２は、光多重分離部２８と、光−電気変換部２４と、電気−光変換部２３と、温度監視部２５と、制御部２６と、表示部２７と、変復調部２１と、増幅部（ＰＡ）２２と、アンテナ２９とから構成されている。
これらの構成部分の内、光多重分離部２８と、光−電気変換部２４と、電気−光変換部２３と、温度監視部２５の構成及び動作は、上述した基地局側装置１における光多重分離部１８と、光−電気変換部１４と、電気−光変換部１３と、温度監視部１５と同様であるためここでは説明を省略する。また、表示部２７についても基地局側装置１の表示部１７と同様としてもよいし、別の構成、例えばより小さい形状の表示部を用いてもよい。
【００３４】
また、変復調部２１は、光−電気変換部２４から入力された送信電気信号を高周波無線信号に変調すると共に、アンテナ２９から入力された受信高周波信号を復調して電気−光変換部２３に出力するものである。
【００３５】
増幅部（ＰＡ）２２は、変復調部２１から入力された高周波信号を増幅してアンテナ２９に出力するものである。増幅部２２は、制御部１６からの指示によって動作の開始／停止を行うようになっている。
【００３６】
そして、アンテナ２９は、増幅部２２から出力された送信高周波信号を無線信号として出力すると共に、移動局からの無線信号を受信して変復調部２１に出力するものである。
【００３７】
制御部２６は、基地局側装置１と同様に、温度検出部２５からの温度データに基づいて温度異常時の処理を行うものであり、基地局側装置１における制御部１６と同様に、表示部２７における表示制御と、電気−光変換部２３における出力の開始／停止の制御を行うのに加えて、増幅部２２の動作の開始／停止の制御を行うものである。また、制御部２６は制御部１６と同様に内部に記憶部を備えている。制御部２６の処理については後で詳細に説明する。
【００３８】
次に、基地局側装置１の制御部１６における動作について具体的に説明する。
制御部１６は、予め本装置の電気−光変換部１３と光−電気変換部１４の動作保証温度範囲をそれぞれ（又は共通の値として）記憶しており、温度検出部１５からの温度データが動作保証温度範囲外であった場合に、温度異常であるとして、表示部１７に温度異常を示す表示を行う指示を出力して、表示部１７に温度異常を示す表示を出力させる。表示の形態は、表示部１７の構成に応じたものとする。
【００３９】
例えば、表示部１７が液晶ディスプレイの場合、制御部１６は、温度異常を検出すると、表示部１７に「温度異常  ○○℃」といったメッセージを表示する指示を出力する。これにより、表示部１７に温度異常を示すメッセージが表示され、温度異常が発生していることを視覚的に外部に報知でき、迅速な対処を促すことができるものである。
また、表示部１７がＬＥＤであれば、制御部１６は、温度異常を検出すると、当該ＬＥＤを点滅又は点灯させる制御を行う。
【００４０】
また、基地局側装置１及び無線部側装置２内部に現在日時を管理するタイマを設け、異常を検出した日時を共に表示するようにしてもよい。また、制御部１６又は２６内部の記憶部に異常温度を検出した日時とその温度の履歴を記憶しておき、後で異常の解析や保守に利用するようにしてもよい。
【００４１】
それと共に、制御部１６は、温度検出部１５からの温度データが動作保証温度範囲外であった場合に、電気−光変換部１３における出力を停止させる。これにより、基地局側装置１が異常温度になった場合に、品質の低下した下り光信号を無線部側装置２に送信するのを防ぎ、無線部側装置２の光−電気変換部２４が損傷したり、移動局に対して低品質の信号を送信するのを防ぐことができるものである。
【００４２】
制御部１６における処理について図２を用いて説明する。図２は、基地局側装置１の制御部１６における温度データを受信した際の動作を示すフローチャート図である。
図２に示すように、制御部１６は、温度検出部１５から電気−光変換部（図では「Ｅ／Ｏ」）１３と光−電気変換部（図では「Ｏ／Ｅ」）１４の温度データが入力されると、入力された温度データが、予め制御部１６内に記憶されているそれぞれの動作保証温度の範囲内であるかどうかを判断し（１００）、両方とも動作保証温度の範囲内であれば、温度異常なしとして処理を終わる。
【００４３】
処理１００で、Ｅ／Ｏ、Ｏ／Ｅのいずれかの温度データ又は両方の温度データが動作保証温度の範囲外であった場合には、制御部１６は、表示部１７に「温度異常」を示す表示を出力する（１０２）。
そして、制御部１６は、電気−光変換部１３からの出力を停止する（１０４）。このようにして制御部１６が温度データを受信した際の処理が行われるものである。
【００４４】
尚、図２の処理では、処理１００でＥ／Ｏ、Ｏ／Ｅの両方の温度データをチェックして、いずれかが動作保証温度の範囲外である場合に、温度異常の表示及び電気−光変換部１３からの出力停止を行って、より安全性を高めた構成としているが、光信号の送信のみに着目した場合、受信側に相当するＯ／Ｅの温度にかかわらず、処理１００でＥ／Ｏのみの温度データをチェックするようにしてもよい。このようにすれば、簡易な構成で光信号の送信部の温度異常を報知でき、送信光信号の劣化を防ぐことができるものである。
【００４５】
また、無線部側装置２における制御部２６の動作も上述した制御部１６の動作とほぼ同様であり、制御部２６は、予め本装置の電気−光変換部２３と光−電気変換部２４の動作保証温度範囲をそれぞれ（又は共通の値として）記憶しており、温度検出部２５からの電気−光変換部２３又は光−電気変換部２４の温度データが動作保証温度外であった場合に、表示部２７に温度異常を示す表示を出力すると共に、電気−光変換２３における出力を停止にする。基地局側装置１の場合と同様に、「温度異常  ○○℃」という表示とすれば、保守員が外から見ただけで容易に温度異常であることを認識でき、迅速に対応できるものである。
【００４６】
それに加えて、無線部側装置２の制御部２６は、温度検出部２５から入力された光−電気変換部２４の温度データが動作保証温度外であった場合に、増幅部２２の動作を停止する処理を行う。
【００４７】
これにより、無線部側装置２が異常温度になった場合に、品質の低下した上り光信号を基地局側装置１に送信することを防ぐと共に、移動局に低品質の無線信号を送信するのを防ぐことができるものである。
【００４８】
更に、基地局側装置１の場合と同様に、「温度異常」を示す表示に異常温度を検出した日時を併せて表示してもよい。また温度異常を検出した日時とその温度とを対応付けて、履歴を制御部２６内の記憶部に記憶することも可能であり、後日保守員によるメンテナンスの際に有益な情報を提供できるものである。
【００４９】
制御部２６における処理について図３を用いて説明する。図３は、無線部側装置２の制御部２６における温度データを受信した際の動作を示すフローチャート図である。
図３に示すように、処理２００〜２０４は、図２に示した基地局側装置１の制御部１６における処理１００〜１０４と同様であるため説明を省略する。
【００５０】
そして、制御部２６は、温度検出部２５から入力されたＯ／Ｅの温度データが動作保証温度範囲内であったかどうかを判断し（２０６）、動作保証温度範囲内であれば、処理を終了する。
【００５１】
処理２０６で、Ｏ／Ｅの温度データが動作保証温度外であった場合、制御部２６は、増幅部２２の動作を停止する（２０６）。このようにして制御部２６の動作が行われるものである。
【００５２】
尚、図２に示した基地局側装置１における処理と同様に、図３の処理２００においても光信号の送信のみに着目して、受信側に相当するＯ／Ｅの温度にかかわらず、Ｅ／Ｏのみの温度データをチェックするようにしてもよい。このようにすれば、簡易な構成で光信号の送信部の温度異常を報知でき、送信光信号の劣化を防ぐことができるものである。
【００５３】
本発明の実施の形態に係る光伝送装置によれば、移動通信網の中央局に接続された基地局側装置１に電気−光変換部１３と光−電気変換部１４の温度を検出する温度検出部１５を設け、制御部１６が、温度検出部１５からの温度データが予め設定されている動作保証温度範囲外であった場合に、温度が異常である旨を示す表示を表示部１７に出力すると共に、電気−光変換部１３からの出力を停止し、同様に、移動局と無線通信を行う無線部側装置２に電気−光変換部２３と光−電気変換部２４の温度を検出する温度検出部２５を設け、制御部２６が、温度検出部２５からの温度データが予め設定されている動作保証温度範囲外であった場合に、温度が異常である旨を示す表示を表示部２７に出力すると共に、電気−光変換部１３からの出力を停止する光伝送装置としているので、保守員が、装置の温度が異常な状態であることを外部から見ただけで認識することができ、迅速な対処を可能とし、異常な温度によって光通信の伝送データが劣化したり、異常出力を招いて受信側の装置が破損するのを未然に防ぐことができる効果がある。
【００５４】
また、本装置によれば、無線部側装置２の制御部２６が、温度検出部２５から入力された光−電気変換部２４の温度データが予め設定されている動作保証温度範囲外であった場合に、増幅部２２の動作を停止する光伝送装置としているので、温度異常により劣化したデータを移動局に無線送信するのを防ぐことができる効果がある。
【００５５】
また、簡易な構成として、温度検出部１５が、電気−光変換部１３の温度のみを検出して、制御部１６が温度検出部１５からの温度データが動作保証範囲外であった場合に、温度異常を表示して電気−光変換部１３からの出力を停止し、温度検出部２５が光−電気変換部２３の温度のみを検出して、制御部１６が温度検出部１５からの温度データが動作保証範囲外であった場合に、温度異常を表示して電気−光変換部１３からの出力を停止するように構成してもよく、この場合にも、保守員が、装置の光信号の送信部の温度が異常な状態であることを外部から見ただけで認識することができ、迅速な対処を可能とし、異常な温度によって光通信の伝送データが劣化したり、異常出力を招いて受信側の装置が破損するのを未然に防ぐことができる効果がある。
【００５６】
尚、図２に示した処理では、温度検出部から入力された温度データが動作保証温度範囲内であった場合にはそのまま処理を終了することになっており、一旦動作保証温度範囲外を検出するとリセット等の操作を行わないと復帰できないが、温度異常が解消した場合に、再度、電気−光変換部１３の出力を開始させるように制御することも可能である。具体的には、制御部１６が、定期的に入力される温度データを常時監視し、入力された温度データが動作保証温度範囲内となった場合には、図２の処理１００から分岐して、表示部１７の「温度異常」を示す表示を停止し、電気−光変換部１３からの出力を開始し、処理を終わる。このようにすれば、温度異常が解消した場合に自動的に復帰することができる効果がある。
また、図３に示した無線部側装置２の制御部２６における処理も同様にすれば、無線部側装置２も温度異常が解消した場合に自動的に復帰可能となる効果がある。
【００５７】
次に、本発明の別の実施の形態に係る光伝送装置について説明する。
別の実施の形態に係る光伝送装置では、温度異常だけでなく、電源投入後の動作が不安定な時にも光信号の送信を禁止して、より安定した動作が得られるものである。
別の実施の形態に係る光伝送装置の構成は図１に示した光伝送装置とほぼ同様であるため図１の符号を用いて説明するが、基地局側装置１の制御部１６及び無線部側装置２の制御部２６における処理が一部異なっている。
【００５８】
別の光伝送装置の特徴部分について説明する。
別の光伝送装置では、基地局側装置１の制御部１６及び無線部側装置２の制御部２６には、電源投入からの一定時間を計時するタイマ（ウォームアップタイマ）が設けられている。
【００５９】
そして、基地局側装置１の制御部１６及び無線部側装置２の制御部２６は、上述した光伝送装置と同様に、温度異常時に表示部に温度異常であることを示す表示を行う指示を出力し、電気−光変換部からの光信号の出力を禁止するのに加えて、電源投入直後の一定時間をウォームアップ時間として、表示部１７又は表示部２７にウォームアップ中であることを示す表示を行い、光信号の出力を禁止する処理を行うものである。
【００６０】
また、表示部１７及び表示部２７には、ウォームアップ時に点灯するＬＥＤ（ウォームアップライト）がそれぞれ設けられている（図示省略）。
【００６１】
別の光伝送装置における基地局側装置１の制御部１６処理について図４を用いて説明する。図４は、別の光伝送装置における基地局側装置１の制御部１６の電源投入時の処理を示すフローチャート図である。
図４に示すように、別の光伝送装置の基地局側装置１の制御部１６は、電源が投入されると、電気−光変換部１３からの出力を停止状態として光信号の送信を禁止し（３００）、ウォームアップタイマをセットして、計時を始め（３０２）、ウォームアップライトを点灯する（３０４）。
【００６２】
そして、制御部１６は、ウォームアップタイマがタイムアップしたかどうかをチェックし（３０６）、タイムアップした場合には、ウォームアップライトを消灯し（３０８）、温度検出部１５からの温度データを参照して、電気−光変換部１３（Ｅ／Ｏ）及び光−電気変換１４（Ｏ／Ｅ）が共に動作保証温度の範囲内であるかどうかを判断する（３１０）。
【００６３】
そして、処理３０８においてＥ／Ｏ及びＯ／Ｅが動作保証温度内であれば、制御部１６は、電気−光変換部１３からの出力を許可し、光信号送信可能の状態に移行する（３１２）。このようにして基地局側装置１の制御部１６における電源投入時の処理が行われるものである。
【００６４】
また、無線部側装置２の制御部２６における電源投入時の処理も図４に示した基地局側装置１の制御部１６の処理と同様であるが、処理３１２の後で、無線部側装置２が基地局側装置１からの光信号を受信し、それに応答することにより光通信リンクが確立すると、増幅部２２の動作を開始して無線信号の送信及び受信を開始するようになっている。
【００６５】
次に、別の光伝送装置における電源投入時の動作について図５、６、７を用いて説明する。図５は、動作保証温度内の場合の電源投入時の動作、図６、図７は温度が下限しきい値未満の場合の電源投入時の動作を示す状態遷移図である。尚、図５、６、７の例では、動作保証温度の下限しきい値を１℃としており、１℃未満であれば動作保証温度範囲外となるものである。
【００６６】
図５に示すように、基地局側装置１及び無線部側装置２で電源が投入される（Ｆ０１）と、基地局側装置１及び無線部側装置２は、ウォームアップライトを点灯し（Ｆ０２）、ウォームアップタイマをセットして計時を開始する（Ｆ０３）。図５の例では、基地局側装置１及び無線部側装置２共に、電気−光変換部（Ｅ／Ｏ変換部）１３・２３と光−電気変換部（Ｏ／Ｅ変換部）１４・２４の温度は２７℃で、動作保証温度範囲内となっている。
【００６７】
そして、基地局側装置１及び無線部側装置２は、ウォームアップタイマがタイムアップして計時を終了すると、Ｅ／Ｏ変換部１３・２３及びＯ／Ｅ変換部１４・２４の温度をチェックして動作保証温度内であることを確認し（Ｆ０４）、動作保証温度内であればウォームアップライトを消灯する（Ｆ０５）。ウォームアップライトが消灯すると、光信号送信可能状態に移行するものである。
【００６８】
そして、光信号送信可能状態に移行すると、基地局側装置１から通信要求を含む光信号が送信され（Ｆ０６）、無線部側装置２がこれを受信して応答の光信号を送信し（Ｆ０７）、ここで通信リンクが確立する。
【００６９】
そして、無線部側装置２では、増幅部２２の動作を開始して無線信号の送信を開始し（Ｆ０８）、無線信号の受信を開始する（Ｆ０９）。このようにして、電源投入時の動作が行われるものである。
【００７０】
このように、別の光伝送装置では、電源投入後一定時間経過して、且つ電気−光変換部及び光−電気変換部が動作保証温度範囲内になるまではウォームアップ中の表示を出力して動作不安定のおそれがあることを外部に報知でき、また、ウォームアップ中は光信号の送信を禁止しているので、電源投入時の不安定な動作が伝送データに悪影響を及ぼしたり、温度による悪影響を未然に防ぐことができるものである。
【００７１】
次に、図６を用いて、無線部側装置２側の温度が低かった場合について説明する。
図６の例では、基地局側装置１のＥ／Ｏ変換部１３及びＯ／Ｅ変換部１４の温度は２７℃で動作保証温度範囲内であるが、無線部側装置２のＥ／Ｏ変換部２３及びＯ／Ｅ変換部２４の温度は−１０℃で動作保証温度範囲外となっている。この状態で電源が投入され（Ｆ０１）、ウォームアップライトを点灯し（Ｆ０２）、ウォームアップタイマをセットし（Ｆ０３）、タイマが終了すると、温度チェックを行う（Ｆ０４）。
【００７２】
ここで、基地局側装置１は動作保証温度範囲内であるからウォームアップライトを消灯し（Ｆ０５）、光信号の送信可能状態となって、無線部側装置２に光信号を送信する（Ｆ０６）。
【００７３】
無線部側装置２は、基地局側装置１から送信された光信号を受信して、制御部２６内の記憶部に保持する。無線部側装置２では、Ｆ０４の時点で温度データが動作保証温度範囲外であると、その後も定期的に温度のチェックを行って、制御部２６内に予め設定されている下限しきい値とＥ／Ｏ変換部２３及びＯ／Ｅ変換部２４の温度データとを比較し、両方とも下限しきい値以上になった場合に、ウォームアップライトを消灯し（Ｆ０７）、Ｆ０６で受信した光信号に対する応答の光信号を送信する（Ｆ０８）。
【００７４】
そして、光通信のリンクが確立されると、無線信号の送信を開始し（Ｆ０９）、無線信号の受信を開始する（Ｆ１０）。このようにして無線部側装置２側の温度が低かった場合の動作が行われるものである。
【００７５】
次に、無線部側装置２の温度が低い別の例について図７を用いて説明する。
図７の例では、基地局側装置１に先に電源が投入され（Ｆ０１）、ウォームアップライトを点灯し（Ｆ０２）、ウォームアップタイマをセットし（Ｆ０３）、タイマが終了すると、温度チェックを行う（Ｆ０４）。そして、基地局側装置１はウォームアップライトを消灯し（Ｆ０５）、光信号の送信可能状態となって、無線部側装置２に光信号を送信する（Ｆ０９）。
【００７６】
一方、無線部側装置２側は少し遅れて電源が投入され、この時点でのＥ／Ｏ変換部２３、Ｏ／Ｅ変換部２４の温度は−１０℃となっている（Ｆ０６）。そして、ウォームアップライトを点灯し（Ｆ０７）、ウォームアップタイマをセットし（Ｆ０８）、計時を開始する。
図７では、タイマがタイムアップしない内に基地局側装置１からの光信号を受信したことを示している（Ｆ０９）。
【００７７】
そして、無線部側装置２ではウォームアップタイマがタイムアップすると、温度をチェックし（Ｆ１０）、下限しきい値以上であると、ウォームアップライトを消灯し（Ｆ１１）、Ｆ０９で受信した光信号に対する応答を送信して（Ｆ１２）光通信のリンクを確立する。その後、無線部側装置２において無線信号の送信を開始し（Ｆ１３）、無線信号の受信を開始する（Ｆ１４）。
このようにして別の実施の形態に係る光伝送装置の動作が行われるものである。
【００７８】
本発明の別の実施の形態に係る光伝送装置によれば、移動通信の中央局に接続する基地局側装置１の制御部１６に、予め設定された一定時間を計時するタイマを設け、制御部１６が、電源投入時にウォームアップ中の表示を出力すると共にタイマをセットして、タイムアップした場合に、電気−光変換部１３と光−電気変換部１４の温度データを参照し、温度データが動作保証温度範囲内であれば、ウォームアップ中の表示を停止して、光信号の送信を可能とし、また、移動局と無線通信を行う無線部側装置２の制御部２６に、予め設定された一定時間を計時するタイマを設け、制御部２６が、電源投入時にウォームアップ中の表示を出力すると共にタイマをセットして、タイムアップした場合に、電気−光変換部２３と光−電気変換部２４の温度データを参照し、温度データが動作保証温度範囲内であれば、ウォームアップ中の表示を停止して、光信号の送信を可能とする光伝送装置としているので、電源投入直後にウォームアップ中であることを表示して動作不安定のおそれがあることを外部に報知でき、また、電源投入時から一定時間以上経過し、且つ装置の温度が動作保証温度範囲内になった場合のみ光信号の送信を行うことができ、投入直後の不安定さや保証外の温度により劣化した伝送データの送信を未然に防ぐことができる効果がある。
【産業上の利用可能性】
【００７９】
本発明は、温度異常により伝送データの品質が低下したり、異常動作を起こして装置が破損するのを防ぐことができる光伝送装置に適している。
【図面の簡単な説明】
【００８０】
【図１】本発明の実施の形態に係る光伝送装置（本装置）の構成ブロック図である。
【図２】基地局側装置１の制御部１６における温度データを受信した際の動作を示すフローチャート図である。
【図３】無線部側装置２の制御部２６における温度データを受信した際の動作を示すフローチャート図である。
【図４】別の光伝送装置における基地局側装置１の制御部１６の電源投入時の処理を示すフローチャート図である。
【図５】動作保証温度内の場合の電源投入時の動作を示す状態遷移図である。
【図６】温度が下限しきい値未満の場合の電源投入時の動作を示す状態遷移図である。
【図７】温度が下限しきい値未満の場合の電源投入時の動作を示す状態遷移図である。
【図８】光伝送装置の概略説明図である。
【図９】Ｓ／Ｎ比とビット誤り率との関係を示す説明図である。
【符号の説明】
【００８１】
１…基地局側装置、  ２…無線部側装置、  ３…光ケーブル、  １１…呼処理部、  １２…信号処理部、２２…増幅部（ＰＡ）、  １３，２３…電気−光変換部（Ｅ／Ｏ変換部）、  １４，２４…光−電気変換部（Ｏ／Ｅ変換部）、  １５，２５…温度検出部、  １６，２６…制御部、  １７，２７…表示部、  １８，２８…光多重分離部、  ２９…アンテナ
【図１】
2005244335.tif 000003
【図２】
2005244335.tif 000004
【図３】
2005244335.tif 000005
【図４】
2005244335.tif 000006
【図５】
2005244335.tif 000007
【図６】
2005244335.tif 000008
【図７】
2005244335.tif 000009
【図８】
2005244335.tif 000010
【図９】
2005244335.tif 000011